(57)【要約】【課題】  収入証紙を添付する手間及び領収書を書く手間を省くことができる包装用紙片を用いてロール状ゴミ袋を包装するようにした包装構造の提供。【解決手段】  自治体指定のゴミ袋１１が切込破線１２により連結された帯状連続ゴミ袋１０をロール状に巻き取ったロール状ゴミ袋１の包装構造であり、ロール状ゴミ袋の外周に少なくとも1周以上巻き付ける包装用紙片２が設けられ、包装用紙片に製品表示部２ａと領収書表示部２ｂが設けられると共に、この領収書表示部がミシン目線２０によって製品表示部から切離し可能に形成され、かつ前記領収書表示部に連続製品番号２１が表示されている。【選択図】  図９
2008114899.tif 000002
【特許請求の範囲】
【請求項１】
自治体指定のゴミ袋が切込破線により連結された帯状連続ゴミ袋をロール状に巻き取ったロール状ゴミ袋の包装構造であり、
前記ロール状ゴミ袋の外周に少なくとも1周以上巻き付ける包装用紙片が設けられ、前記包装用紙片に製品表示部が設けられると共に、この包装用紙片に連続製品番号が表示されていることを特徴とするロール状ゴミ袋の包装構造。
【請求項２】
自治体指定のゴミ袋が切込破線により連結された帯状連続ゴミ袋をロール状に巻き取ったロール状ゴミ袋の包装構造であり、
前記ロール状ゴミ袋の外周に少なくとも1周以上巻き付ける包装用紙片が設けられ、前記包装用紙片に製品表示部と領収書表示部が設けられると共に、この領収書表示部と製品表示部との間に切取り用の線表示が設けられ、かつ前記領収書表示部に連続製品番号が表示されていることを特徴とするロール状ゴミ袋の包装構造。
【請求項３】
自治体指定のゴミ袋が切込破線により連結された帯状連続ゴミ袋をロール状に巻き取ったロール状ゴミ袋の包装構造であり、
前記ロール状ゴミ袋の外周に少なくとも1周以上巻き付ける包装用紙片が設けられ、前記包装用紙片に製品表示部と領収書表示部が設けられると共に、この領収書表示部がミシン目線によって製品表示部から切離し可能に形成され、かつ前記領収書表示部に連続製品番号が表示されていることを特徴とするロール状ゴミ袋の包装構造。
【発明の詳細な説明】
【技術分野】
【０００１】
本発明は、多数枚のゴミ袋を一連に連続させた帯状連続ゴミ袋を有し、この帯状連続ゴミ袋をロール状に巻き取ったロール状ゴミ袋の包装構造に関し、特に、対象を自治体指定のゴミ袋に限定した包装技術に関する。
【背景技術】
【０００２】
ロール状ゴミ袋は、多数枚のゴミ袋を一連に連続させた帯状連続ゴミ袋をロール状に巻き取ったもので、従来、その包装技術として、帯状ゴミ袋の端末部を粘着テープによって本体ロール部に止め付けるようにしたものが知られている（特許文献１参照）。
【０００３】
上記の従来技術では、ロール状連続ゴミ袋を専用の包装袋で包装する従前のものに比べ、包装資材を使用することなしに包装状態にまとめることができるため、資源の節約やコストの低減、ゴミの減少という利点がある。
【０００４】
しかしながら、このように粘着テープによって端末部を本体ロール部に止め付ける場合には、粘着テープを帯状連続ゴミ袋に直接に貼り付ける必要がある。
従って、使用に伴い粘着テープを剥ぎ取る際に、その粘着力によって帯状連続ゴミ袋が破れたり、汚損したりするという問題があった。
【０００５】
そこで従来、図１０又は図１１に示すような簡易包装構造が用いられている。
図１０の包装構造は、ロール状ゴミ袋１の外周に少なくとも1周以上巻き付ける包装用紙片９を用い、この包装用紙片９の端部同士を重ね合わせて、その上を接着糊や透明粘着テープ等で止め付けるようになっている。
【０００６】
図１１の包装構造は、ロール状ゴミ袋１の端末部１ａと本体ロール部１ｂの間に挟み込まれる挟持部９１と、この挟持部９１から延出して本体ロール部１ｂの外周を少なくとも１周する巻付部９２を備えた包装用紙片９を用い、この巻付部９２の巻端部９３を巻付部９２上に重ね合わせて、その上を接着糊や透明粘着テープ等で止め付けるようになっている。
【０００７】
このような包装用紙片９を用いた包装構造では、ロール状ゴミ袋１に対して直接に接着させることがないため、従来と異なり、接着を剥がす際に、その接着力によってロール状ゴミ袋１が破れたり、汚損したりすることがないという利点がある。
【特許文献１】特許公開２００１−２０８２号公報
【発明の開示】
【発明が解決しようとする課題】
【０００８】
近年、各自治体では指定ゴミ袋によるゴミ収集に移行し、指定ゴミ袋販売に伴う収益をゴミ処理費等に充てるなど、財政の負担軽減に取組んでいる。
このため、指定ゴミ袋の価格が高価になる。特に事業所用指定ゴミ袋は、家庭用指定ゴミ袋に比べて高価（１枚あたり１００円〜２００円）であり、これは収入証紙での購入に値するが、わざわざ収入証紙を貼付するには多大の手間がかかるという問題がある。
又、指定ゴミ袋を購入した際、領収書が必要になるが、その領収書を書くのにも手間がかかるという問題があった。
【０００９】
本発明では、収入証紙を添付する手間、領収書を書く手間を省くことができる包装用紙片を用いてロール状ゴミ袋を包装するようにした包装構造を提供することを課題としている。
【課題を解決するための手段】
【００１０】
上記の課題を解決するために、本発明（請求項１）のロール状ゴミ袋の包装構造は、
自治体指定のゴミ袋が切込破線により連結された帯状連続ゴミ袋をロール状に巻き取ったロール状ゴミ袋の包装構造であり、
前記ロール状ゴミ袋の外周に少なくとも1周以上巻き付ける包装用紙片が設けられ、前記包装用紙片に製品表示部が設けられると共に、この包装用紙片に連続製品番号が表示されている構成とした。
【００１１】
又、本発明（請求項２）のロール状ゴミ袋の包装構造は、
自治体指定のゴミ袋が切込破線により連結された帯状連続ゴミ袋をロール状に巻き取ったロール状ゴミ袋の包装構造であり、
前記ロール状ゴミ袋の外周に少なくとも1周以上巻き付ける包装用紙片が設けられ、前記包装用紙片に製品表示部と領収書表示部が設けられると共に、この領収書表示部と製品表示部との間に切取り用の線表示が設けられ、かつ前記領収書表示部に連続製品番号が表示されている構成とした。
【００１２】
又、本発明（請求項３）のロール状ゴミ袋の包装構造は、
自治体指定のゴミ袋が切込破線により連結された帯状連続ゴミ袋をロール状に巻き取ったロール状ゴミ袋の包装構造であり、
前記ロール状ゴミ袋の外周に少なくとも1周以上巻き付ける包装用紙片が設けられ、前記包装用紙片に製品表示部と領収書表示部が設けられると共に、この領収書表示部がミシン目線によって製品表示部から切離し可能に形成され、かつ前記領収書表示部に連続製品番号が表示されている構成とした。
【発明の効果】
【００１３】
本発明（請求項１）のロール状ゴミ袋の包装構造は、包装用紙片に製品表示部が設けられると共に、連続製品番号が表示されている構成に特徴がある。
【００１４】
製品表示部には、当該ロール状ゴミ袋に関する諸事項を表示するもので、例えば、指定自治体の市町村名、家庭用と事業者用の区別、生ゴミ用やペットボトル用等の用途、使用方法、製造会社名、品質表示等、製品に関する諸事項が記載される。
【００１５】
連続製品番号は、製造順に番号を付すようにした（ナンバリング）シリアル番号であり、この連続製品番号によって製造会社、製造日時、製造装置等、製造履歴が判るため、この連続製品番号が付されていることを以って、当該ロール状ゴミ袋が正規の指定ゴミ袋であることの証明になる。
【００１６】
又、連続製品番号が収入証紙の役割をするため、わざわざ収入証紙を購入し、貼付する手間を省くことができる。
また、連続製品番号によって製造数を把握することができ、偽造を防止することができる。
【００１７】
本発明（請求項２）のロール状ゴミ袋の包装構造は、包装用紙片に製品表示部と領収書表示部が設けられ、この領収書表示部と製品表示部との間に切取り用の線表示が設けられ、かつ連続製品番号が領収書表示部に表示されている構成に特徴がある。
【００１８】
したがって、連続製品番号が表示された領収書表示部は、正規の領収書として認めることが可能になり、切取り用の線表示からハサミ等を用いて領収書表示部を切り取れば、この領収書表示部をそのまま領収書として使用することができ、領収書を書く手間を省くことができる。
【００１９】
本発明（請求項３）のロール状ゴミ袋の包装構造では、前記請求項２記載の包装構造で用いた切取り用の線表示の代わりに、ミシン目線が用いられ、領収書表示部がミシン目線によって製品表示部から切離し可能に形成されている構成に特徴がある。
【００２０】
このように、ミシン目線を用いることによって、ハサミ等を用いることなく、ミシン目線に沿って手作業で領収書表示部を切り離すことができる。
【発明を実施するための最良の形態】
【００２１】
図１は本発明の包装構造を適用するロール状ゴミ袋の斜視図、図２は請求項１に対応した第1実施例のロール状ゴミ袋の包装構造を示す斜視図、図３はその包装構造に用いた包装用紙片の表面図である。
【００２２】
図１において、１０は帯状連続ゴミ袋で、数枚（例えば１０枚）の自治体指定のゴミ袋１１が切込破線１２により一連に連結されて帯状に連続したもので、筒状プラスチックフイルムに、全幅に亘って切込破線１２を一定間隔で形成すると共に、この切込破線１２に近接して袋底溶着部１３を形成したものとなっている。
そして、この帯状連続ゴミ袋１０をロール状に巻き取ることでロール状ゴミ袋１が形成されるもので、この実施の形態では、ゴミ袋１１の開口側が巻き端になるように巻き取っている。
なお、ロール状ゴミ袋１をコンパクトにするために、帯状連続ゴミ袋１０の両側部分を内側に折り畳んでロール状に巻き取るようにしてもよい。
【００２３】
又、帯状連続ゴミ袋１０を構成するゴミ袋１１は、その両側縁に折込み形成するガゼットの有無、ゴミ袋形状、サイズに限定はなく、材質についてもポリエチレン樹脂やポリプロピレン樹脂等のプラスチックフイルムや紙、不織布等であってもよい。
【００２４】
そして、このロール状ゴミ袋１は、図２及び図３に示すように、包装用紙片２により簡易包装されており、その包装構造を説明する。なお、この場合の包装構造は、前記図１０で示した包装構造を適用している。
【００２５】
前記包装用紙片２は、横幅がロール状ゴミ袋１の横幅よりも短く、長さがロール状ゴミ袋１の外周長さよりも長く形成された矩形紙片に形成されている。
包装用紙片２には製品表示部２ａが設けられると共に、連続製品番号２１が表示されている。
【００２６】
前記製品表示部２ａには、指定自治体の市町村名、家庭用と事業者用の区別、生ゴミ用やペットボトル用等の用途、使用方法、製造会社名、品質表示等、製品に関する諸事項が記載されている。
【００２７】
連続製品番号２１は、製造順に番号を付すようにした（ナンバリング）シリアル番号であり、この連続製品番号によって製造会社、製造日時、製造装置等、製造履歴が判るようになっている。
【００２８】
前記包装用紙片２による包装方法の概略を説明する。
包装用紙片２を束にして包装装置にセットし、ロール状ゴミ袋１として巻き取るゴミ袋１１の枚数が設定枚数になる前に、枚数カウンターから包装装置に信号が送られ、その信号を受けて包装装置が稼動する。
この際、連続製品番号２１を包装用紙片２に印刷していき、次に、センサーによって停止位置が決まり、ホットメルトなどの接着剤を包装用紙片２に付け、ゴミ袋１１の枚数が設定枚数になると、この包装用紙片２を巻き込み、この包装用紙片２でロール状ゴミ袋１を包装するようになっている。
【００２９】
そして、前記包装用紙片２を製品表示部２ａが外観に現れて見えるように前記ロール状ゴミ袋１の外周に少なくとも1周以上巻き付け、この包装用紙片２の端部同士を重ね合わせて、その上を接着糊や透明粘着テープ等で止め付けるのは、前記図１０の包装構造と同様である。
【００３０】
次に、図４は請求項２に対応した第２実施例のロール状ゴミ袋の包装構造を示す斜視図、図５はその包装構造に用いた包装用紙片の表面図である。なお、この場合の包装構造は、前記図１１で示した包装構造を適用している。
【００３１】
この包装構造で用いる包装用紙片２は、ロール状ゴミ袋１の端末部１ａと本体ロール部１ｂの間に挟み込まれる挟持部２５と、この挟持部２５から延出して本体ロール部１ｂの外周を少なくとも１周する巻付部２６を備えている。
この包装用紙片２の巻付部２６の表面に製品表示部２ａが形成されると共に、挟持部２５の表面に領収書表示部２ｂが設けられ、この領収書表示部２ｂと製品表示部２ａとの間に切取り用の線表示２０ａが設けられている。
【００３２】
そして、前記包装用紙片２の挟持部２５をロール状ゴミ袋１の端末部１ａと本体ロール部１ｂの間に挟み込んだ上で、製品表示部２ａが見えるように巻付部２６を本体ロール部１ｂの外周に少なくとも１周以上巻き付け、この巻付部２６の巻端部２７を巻付部２６上に重ね合わせて、その上を接着糊や透明粘着テープ等で止め付けるのは、前記図１１の包装構造と同様である。
【００３３】
このように、挟持部２５を挟み込ませた上で、巻付部２６を本体ロール部１ｂに巻き付けると、包装用紙片２のズレ動きを抑えることができ、包装用紙片２からロール状ゴミ袋１がズレたり、抜け落ちたりすることがなく、包装用紙片２による巻き止めを安定させることができる。
【００３４】
従って、連続製品番号２１が表示された領収書表示部２ｂは、正規の領収書として認めることが可能になり、切取り用の線表示２０ａからハサミ等を用いて領収書表示部２ｂを切り取れば、この領収書表示部２ｂをそのまま領収書として使用することができ、領収書を書く手間を省くことができる。
【００３５】
次に、図６は請求項３に対応した第３実施例のロール状ゴミ袋の包装構造を示す斜視図、図７はその包装構造に用いた包装用紙片の表面図である。なお、この場合の包装構造は、前記図１０で示した包装構造を適用している。
【００３６】
包装用紙片２には、ミシン目線２０を境にして一端側に製品表示部２ａが設けられ、他端側に領収書表示部２ｂが設けられており、この領収書表示部２ｂが前記ミシン目線２０によって製品表示部２ａから切離し可能になっている。
【００３７】
又、前記領収書表示部２ｂには、領収書の文字、当該指定ゴミ袋の販売元である市町村名及び印、それに連続製品番号２１が表示されている。
【００３８】
このようにミシン目線２０を用いることによって、ハサミ等を用いることなく、ミシン目線２０に沿って手作業で領収書表示部２ｂを切り離すことができる。
【００３９】
次に、図８は請求項３に対応した第４実施例のロール状ゴミ袋の包装構造を示す斜視図、図９はその包装構造に用いた包装用紙片の表面図である。なお、この場合の包装構造は、前記図１１で示した包装構造を適用している。
この実施例では、前記第３実施例と同様に、領収書表示部２ｂがミシン目線２０によって製品表示部２ａから切離し可能に形成されている。
従って、ハサミ等を用いることなく、ミシン目線２０に沿って手作業で領収書表示部２ｂを切り離すことができる。
【００４０】
なお、領収書表示部２ｂは包装用紙片２の挟持部２５の表面に設けられ、この挟持部２５は、ロール状ゴミ袋１の端末部１ａと本体ロール部１ｂの間に挟み込まれるもので、このとき、図８に示すように、前記ミシン目線２０もロール状ゴミ袋１の端末部１ａと本体ロール部１ｂの間に挟み込まれるように形成されている。
このように、ミシン目線２０をロール状ゴミ袋１の端末部１ａと本体ロール部１ｂの間に挟み込んで包装する包装構造にすることで、ミシン目線２０が外力等によって切れるのを防止でき、包装用紙片２による包装構造を安定させることができる。
【００４１】
なお、本実施例では、ミシン目線は、ロール状ゴミ袋の幅方向に延在するように形成され、かつ製品表示部及び領収書表示部の文字の向きがロール状ゴミ袋の長さ方向（繰り出し方向）に向くように表示されている。
ただ、ミシン目線をロール状ゴミ袋の長さ方向（繰り出し方向）に延在するように形成させ、かつ製品表示部及び領収書表示部の文字の向きをロール状ゴミ袋の長さ方向に向くように表示させることも可能である。
このように、ミシン目線の向き、製品表示部及び領収書表示部の文字の向きは任意に決定することができる。
【図面の簡単な説明】
【００４２】
【図１】本発明の包装構造を適用するロール状ゴミ袋の斜視図である。
【図２】本発明の請求項１に対応した第1実施例のロール状ゴミ袋の包装構造を示す斜視図である。
【図３】その包装構造に用いた包装用紙片の表面図である。
【図４】本発明の請求項２に対応した第２実施例のロール状ゴミ袋の包装構造を示す斜視図である。
【図５】その包装構造に用いた包装用紙片の表面図である。
【図６】本発明の請求項３に対応した第３実施例のロール状ゴミ袋の包装構造を示す斜視図である。
【図７】その包装構造に用いた包装用紙片の表面図である。
【図８】本発明の請求項３に対応した第４実施例のロール状ゴミ袋の包装構造を示す斜視図である。
【図９】その包装構造に用いた包装用紙片の表面図である。
【図１０】従来の包装構造を示す斜視図である。
【図１１】従来の包装構造を示す斜視図である。
【符号の説明】
【００４３】
１  ロール状ゴミ袋
１ａ  端末部
１ｂ  本体ロール部
１０  帯状連続ゴミ袋
１１  ゴミ袋
１２  切込破線
１３  袋底溶着部
２  包装用紙片
２ａ  製品表示部
２ｂ  領収書表示部
２０  ミシン目線
２０ａ  線表示
２１  連続製品番号
２５  挟持部
２６  巻付部
２７  巻端部
【図１】
2008114899.tif 000003
【図２】
2008114899.tif 000004
【図３】
2008114899.tif 000005
【図４】
2008114899.tif 000006
【図５】
2008114899.tif 000007
【図６】
2008114899.tif 000008
【図７】
2008114899.tif 000009
【図８】
2008114899.tif 000010
【図９】
2008114899.tif 000011
【図１０】
2008114899.tif 000012
【図１１】
2008114899.tif 000013